(57)【要約】【課題】液晶表示装置を提供する。【解決手段】本発明の一実施形態によるバックライトユニットは、表示パネルに光を供給する光源部、光源部の下部に配置される反射シート、光源部を収納するモールドフレーム、モールドフレームを支持する支持フレームを含み、支持フレームは、底部、底部の両側から上部に向かって延在して形成され、互いに対向する第１側壁部及び第２側壁部、第１側壁部の上端から水平方向に延在して形成される天井部、天井部の端部から下向傾斜し、一端が天井部の端部と接し、他端が第２側壁部の上端と接する傾斜部を含む。【選択図】図１
2015146309.tif 000002
【特許請求の範囲】
【請求項１】
表示パネルに光を供給する光源部と、
前記光源部の下部に配置される反射シートと、
前記光源部を収納するモールドフレームと、
前記モールドフレームを支持する支持フレームを含み、
前記支持フレームは底部と、
前記底部の両側から上部に向かって延在し、互いに対向する第１側壁部及び第２側壁部と、
前記第１側壁部の上端から水平方向に延在する天井部と、
前記天井部の端部から下向傾斜し、一端が前記天井部の端部と接し、他端が前記第２側壁部の上端と接する傾斜部とを含むバックライトユニット。
【請求項２】
前記天井部、前記底部、前記第１側壁部及び前記第２側壁部によって区切られる内部空間である中空が規定され、前記中空は前記支持フレームの長さ方向に延在する請求項１に記載のバックライトユニット。
【請求項３】
前記モールドフレームは垂直方向に延在する側壁部と、
前記側壁部から水平方向に一定間隔突出する定着部を含む請求項１に記載のバックライトユニット。
【請求項４】
前記側壁部の上端に配置されるサポート部をさらに含む請求項３に記載のバックライトユニット。
【請求項５】
前記モールドフレームの前記側壁部と前記支持フレームの前記第１側壁部は、前記モールドフレーム及び前記支持フレームの前記第１側壁部を貫く結合ねじによって接続され、前記定着部と前記支持フレームの前記天井部は前記定着部の下面に配置される接続突起が前記天井部に配置される接続孔に挿入されて接続される請求項３に記載のバックライトユニット。
【請求項６】
前記反射シートは前記支持フレームに向かって屈曲して延在し、前記延在した反射シートの傾斜領域は前記傾斜部により支持され、
前記傾斜部の勾配と前記反射シートの傾斜領域の勾配は同一である請求項１に記載のバックライトユニット。
【請求項７】
前記延在する前記反射シートの端部は前記モールドフレームの側壁部に形成された固定孔に挿入されて固定される請求項６に記載のバックライトユニット。
【請求項８】
前記支持フレームはバー（ｂａｒ）形状を有する四つのサブ支持フレームを含み、一つの前記サブ支持フレームと隣接する他の一つのサブ支持フレームはＬ型接続部材によって接続される請求項１に記載のバックライトユニット。
【請求項９】
前記支持フレームは互いに対向する第１辺及び第２辺、第３辺及び第４辺を含み、
一端が前記第３辺に接続され、他端が前記第４辺に接続される少なくとも一つのサポートバーをさらに含み、
前記サポートバー上には前記サポートバーから垂直方向に突出形成される少なくとも一つの支持柱が配置される請求項１に記載のバックライトユニット。
【請求項１０】
前記光源部は、長さ方向に延在した第１印刷回路基板及び前記第１印刷回路基板上に実装された少なくとも一つの発光ランプを含み、
前記天井部、前記底部、前記第１側壁部及び前記第２側壁部によって区切られる内部空間である中空に配置され、前記支持フレームの長さ方向に延在する第２印刷回路基板及び前記第２印刷回路基板と電気的に接続される接続ソケットをさらに含み、
前記第１印刷回路基板の接続端子は、前記接続ソケットに挿入され、これによって前記第２印刷回路基板と前記第１印刷回路基板が電気的に接続される請求項１に記載のバックライトユニット。
【発明の詳細な説明】
【技術分野】
【０００１】
本発明は、バックライトユニット及びこれを含む液晶表示装置に関する。
【背景技術】
【０００２】
液晶表示装置は、筐体と接続される液晶表示モジュールを含む。液晶表示モジュールは、液晶層を介在する２枚の基板からなる液晶パネルと、液晶パネルの後方に位置して液晶層に光を供給するバックライトユニットを含む。液晶パネルはバックライトユニットから提供された光の透過率を調節して画像を表示する。
【０００３】
バックライトアセンブリは、光源の位置によって直下型方式とエッジライト方式の二つに分けられる。直下型方式では光源が表示パネルの後方に備えられ、エッジライト方式では光源が表示パネルの後方一側に備えられる。
【０００４】
近年、表示装置の軽量化の傾向に伴い、表示装置全体の重量を減少させるための多様な試みが行われている。その試みの一環としてバックライトユニットの重量を減らすため、構造的及び材料的側面において多様な技術的研究が行われている。
【発明の概要】
【発明が解決しようとする課題】
【０００５】
本発明が解決しようとする課題は、重量を減少させたバックライトユニットを提供することにある。
【０００６】
本発明が解決しようとする他の課題は、重量を減少させた液晶表示装置を提供することにある。
【０００７】
本発明の課題は、以上で言及した技術的課題に制限されず、言及されていないまた他の技術的課題は、次の記載から当業者に明確に理解できるであろう。
【課題を解決するための手段】
【０００８】
前記課題を解決するための本発明の一実施形態によるバックライトユニットは、表示パネルに光を供給する光源部、光源部の下部に配置される反射シート、光源部を収納するモールドフレーム、モールドフレームを支持する支持フレームを含むが、支持フレームは底部、底部の両側から上部に向かって延在して形成され、互いに対向する第１側壁部及び第２側壁部、第１側壁部の上端から水平方向に延在して形成される天井部、天井部の端部から下向傾斜し、一端が天井部の端部と接し、他端が第２側壁部の上端と接する傾斜部を含む。
【０００９】
バックライトユニットは、天井部、底部、第１側壁部及び第２側壁部によって区切られる内部空間である中空が定義され、中空は支持フレームの長さ方向に延在して形成され得る。
【００１０】
モールドフレームは垂直方向に延在する側壁部と、側壁部から水平方向に一定間隔突出する定着部を含み得る。
【００１１】
側壁部の上端に配置されるサポート部をさらに含み得る。
【００１２】
モールドフレームの側壁部と支持フレームの第１側壁部は、モールドフレーム及び支持フレームの第１側壁部を貫く結合ねじによって接続され、定着部と支持フレームの天井部は定着部の下面に配置される接続突起が天井部に配置される接続孔に挿入されて接続され得る。
【００１３】
反射シートは支持フレームに向かって屈曲延在し、延在する反射シートの傾斜領域は傾斜部によって支持され、傾斜部の勾配と反射シート傾斜領域の勾配は同じであり得る。
【００１４】
延在する反射シートの端部は、モールドフレームの側壁部に形成された固定孔に挿入されて固定され得る。
【００１５】
支持フレームはバー（ｂａｒ）形状を有する四つのサブ支持フレームを含み、一つのサブ支持フレームと隣接する他の一つのサブ支持フレームはＬ型接続部材によって接続され得る。
【００１６】
支持フレームは、互いに対向する第１辺及び第２辺、第３辺及び第４辺を含み、一端が第３辺に接続され、他端が第４辺に接続される少なくとも一つのサポートバーをさらに含み、サポートバー上にはサポートバーから垂直方向に突出形成される少なくとも一つの支持柱が配置され得る。
【００１７】
光源部は、長さ方向に延在する第１印刷回路基板及び第１印刷回路基板上に実装された少なくとも一つの発光ランプを含み、天井部、底部、第１側壁部及び第２側壁部によって区切られる内部空間の中空に配置され、支持フレームの長さ方向に延在する第２印刷回路基板及び第２印刷回路基板と電気的に接続される接続ソケットをさらに含み、第１印刷回路基板の接続端子は接続ソケットに挿入され、これによって第２印刷回路基板と第１印刷回路基板が電気的に接続できる。
【００１８】
その他実施形態の具体的な内容は詳細な説明及び図面に含まれている。
【発明の効果】
【００１９】
本発明の実施形態によれば、少なくとも次のような効果がある。
【００２０】
すなわち、ボトムシャーシを省略し、これを中空を有する支持フレームに代替することによってバックライトユニットの重量を減少させることができる。
【００２１】
また、バックライトユニットの重量を減少させることによって液晶表示装置の重量を減少させることができる。
【００２２】
本発明による効果は、以上で例示された内容に制限されず、さらに多様な効果が本明細書内に含まれている。
【図面の簡単な説明】
【００２３】
【図１】本発明の一実施形態によるバックライトユニットの部分断面図である。
【図２】本発明の他の実施形態によるバックライトユニットの部分分解斜視図である。
【図３】図２に示すＩ−Ｉ’線に沿って切断した断面図である。
【図４】本発明の他の実施形態によるバックライトユニットの部分斜視図である。
【図５】図４に示すバックライトユニットの部分拡大図である。
【図６】図５に示す分解斜視図である。
【図７】本発明の他の実施形態による部分斜視図である。
【図８】図７に示すバックライトユニットの断面図である。
【図９】本発明の他の実施形態によるバックライトユニットの部分断面図である。
【図１０】本発明の他の実施形態によるバックライトユニットの部分断面図である。
【図１１】本発明の他の実施形態によるバックライトユニットの部分断面図である。
【図１２】本発明の他の実施形態によるバックライトユニットの部分断面図である。
【図１３】図１２に示すバックライトユニットの部分斜視図である。
【図１４】図１２に示すバックライトユニットの部分斜視図である。
【図１５】本発明の他の実施形態によるバックライトユニットの部分斜視図である。
【図１６】図１５に示す実施形態によるバックライトユニットの分解斜視図である。
【図１７】図１５に示す実施形態によるバックライトユニットの斜視図である。
【図１８】本発明の一実施形態による液晶表示装置の分解斜視図である。
【発明を実施するための形態】
【００２４】
本発明の利点及び特徴、これらを達成する方法は添付する図面と共に詳細に後述する実施形態において明確になるであろう。しかし、本発明は、以下で開示する実施形態に限定されるものではなく、異なる多様な形態で実現されるものであり、本実施形態は、単に本発明の開示を完全にし、本発明が属する技術分野で通常の知識を有する者に発明の範疇を完全に知らせるために提供されるものであり、本発明は、請求項の範囲によってのみ定義される。
【００２５】
素子（ｅｌｅｍｅｎｔｓ）または層が他の素子または層の「上（ｏｎ）」と指称された場合、他の素子の真上にまたは中間に他の層または他の素子を介在する場合のすべてを含む。明細書全体において、同一の参照符号は同一の構成要素を指称する。
【００２６】
第１、第２などが多様な素子、構成要素を叙述するために使用されるが、これら素子、構成要素はこれらの用語によって制限されないことはいうまでもない。これらの用語は、単に一つ構成要素を他の構成要素と区別するために使用するものである。したがって、以下で言及される第１構成要素は本発明の技術的思想内で第２構成要素であり得ることは勿論である。
【００２７】
以下、添付する図面を参照して本発明の実施形態について説明する。
【００２８】
図１は、本発明の一実施形態によるバックライトユニットの部分断面図である。
【００２９】
図１を参照すると、本発明の一実施形態によるバックライトユニットは、表示パネルに光を供給する光源部、光源部の下部に配置される反射シート、光源部を収納するモールドフレーム、モールドフレームを支持する支持フレームを含み、支持フレームは底部、底部の両側から上部に向かって延在して形成され、互いに対向する第１側壁部及び第２側壁部、第１側壁部の上端から水平方向に延在して形成される天井部、天井部の端部から下向傾斜し、一端が天井部の端部と接し、他端が第２側壁部の上端と接する傾斜部を含む。
【００３０】
光源部６００は後述する表示パネルに光を供給する役割を果たす。例示的な実施形態で光源部６００は表示パネルの下部に配置され、上部に向かって光を照射する。すなわち、本発明の一実施形態によるバックライトユニットは直下型方式のバックライトユニットであり得る。
【００３１】
例示的に光源部６００は、長さ方向に延在する複数の線光源を含み得る。他の例示的な実施形態で光源部６００は複数の列と複数の行を有し、配置される複数の点光源を含み得る。
【００３２】
例示的な実施形態で光源部は６００少なくとも一つ以上の発光部を含み得る。発光部は、発光ダイオード（Ｌｉｇｈｔ  Ｅｍｉｔｔｉｎｇ  Ｄｉｏｄｅ、ＬＥＤ）、冷陰極蛍光管（Ｃｏｌｄ  Ｃａｔｈｏｄｅ  Ｆｌｕｏｒｅｓｃｅｎｔ  Ｌａｍｐ、ＣＣＦＬ）及び有機発光ダイオード（Ｏｒｇａｎｉｃ  Ｌｉｇｈｔ  Ｅｍｉｔｔｉｎｇ  Ｄｉｏｄｅ）から選択された何れか一つ以上を含み得る。ただし、前述した発光部は例示的なものであり、本発明はこれに制限されない。
【００３３】
他の例示的な実施形態で光源部６００は、印刷回路基板と印刷回路基板上に実装される発光ランプを含み得る。これに関する詳しい説明は後述する。
【００３４】
モールドフレーム２００は、光源部６００を収納する役割を果たす。また、これに加え、後述する拡散板１３０、光学シート１４０及び表示パネルなどを支持する役割を果たす。
【００３５】
モールドフレーム２００は四角形の枠形状を有する。すなわち、四つの辺を有する長方形であり得、四つの辺によって区切られる空間（枠内）に光源部６００が配置される。
【００３６】
モールドフレーム２００は硬性材質で形成され得る。例示的な実施形態ではモールドフレーム２００は金属材質からなる。ただし、これに制限されず、モールドフレーム２００はプラスチック材質でも形成され得る。
【００３７】
モールドフレーム２００は垂直方向に延在する側壁部（２００＿１）、側壁部（２００＿１）から突出形成された定着部（２００＿２）、側壁部（２００＿１）の上端に配置されるサポート部（２００＿３）を含む。
【００３８】
側壁部は（２００＿１）は垂直方向に延在して形成される。側壁部（２００＿１）は本発明のいくつかの実施形態によるバックライトユニットの外周に配置される。すなわち、側壁部（２００＿１）はバックライトユニットの他の構成要素を囲み、バックライトユニットの外周を構成する。
【００３９】
また、例示的な実施形態で側壁部（２００＿１）の下段部は後述する支持フレーム１００の第１側壁部（１００＿２）と接続される。すなわち、モールドフレーム２００の側壁部（２００＿１）の内側と支持フレーム１００の第１側壁部（１００＿２）の外側が互いに接し、接続される。これに関する説明は後述する。
【００４０】
定着部（２００＿２）は側壁部（２００＿１）から水平方向に突出して形成される。すなわち、定着部（２００＿２）は側壁部（２００＿１）の上端部から突出されて形成される。定着部（２００＿２）と側壁部（２００＿１）が成す角度は９０°であり得るが、定着部（２００＿２）と側壁部（２００＿１）が成す角度はこれに制限されない。
【００４１】
定着部（２００＿２）は後述する支持フレーム１００の天井部（１００＿５）上に定着する。すなわち、定着部（２００＿２）の下面と天井部（１００＿５）の上面が接し、定着部（２００＿２）と天井部（１００＿５）が互いに接続される。これに関する詳しい説明は後述する。
【００４２】
サポート部（２００＿３）はモールドフレーム２００の上端に配置される。サポート部（２００＿３）は後述する拡散板１３０、光学シート１４０及び表示パネル１５０などを支持する役割を果たす。例示的な実施形態でサポート部（２００＿３）は段差構造を有する。サポート部（２００＿３）が段差構造を有する場合、後述する拡散板１３０、光学シート１４０及び表示パネル１５０の端部側端及び端部下端が段差によって堅固に支持される。
【００４３】
支持フレーム１００はモールドフレーム２００及び後述する反射シート４００を支持する役割を果たす。支持フレーム１００はモールドフレーム２００に対応する四角の枠形状を有する。すなわち、支持フレーム１００は四角形の四つの辺に対応する四つの辺を有する長方形であり得、四つの辺によって区切られる空間（枠内）に光源部６００などが配置され得る。
【００４４】
支持フレーム１００は水平方向に延在した底部（１００＿１）、底部（１００＿１）の両側から垂直方向に延在し、互いに対向する第１側壁部（１００＿２）及び第２側壁部（１００＿３）、第１側壁部（１００＿２）の上端から水平方向に延在し、底部（１００＿１）と対向する天井部（１００＿５）、天井部（１００＿５）の端部から下向傾斜し、一端が天井部（１００＿５）の上端と接し、他端が第２側壁部（１００＿３）の上端と接する傾斜部（１００＿４）を含み得る。
【００４５】
底部（１００＿１）は、支持フレーム１００の構成のうち最下部に配置される構成であって、支持フレーム１００の他の構成を支持する。底部（１００＿１）は水平方向に延在する平坦面を含み得る。
【００４６】
第１側壁部（１００＿２）及び第２側壁部（１００＿３）は底部（１００＿１）の両側から垂直方向に延在して形成され得る。第１側壁部（１００＿２）と第２側壁部（１００＿３）は互いに対向する。ただし、第１側壁部（１００＿２）と第２側壁部（１００＿３）の延在方向の長さは互いに相異なる場合もある。すなわち、第１側壁部（１００＿２）の延在方向の長さが第２側壁部（１００＿３）の延在方向の長さより大きい場合もある。これによって後述する傾斜部（１００＿４）が形成される。これについては後述する。
【００４７】
天井部（１００＿５）は第１側壁部（１００＿２）の上端から水平方向に延在して形成される。すなわち、天井部（１００＿５）は底部（１００＿１）と対向する。
【００４８】
傾斜部（１００＿４）は天井部（１００＿５）の端部から下向傾斜して形成される。すなわち、傾斜部（１００＿４）はバックライトユニットの外側で内側に向かって下向傾斜して形成される。
【００４９】
傾斜部（１００＿４）の一端は天井部（１００＿５）の端部と接し、傾斜部の（１００＿４）の他端は第２側壁部（１００＿３）の上端と接する。これによって、底部（１００＿１）、第１側壁部（１００＿２）、第２側壁部（１００＿３）、天井部（１００＿５）及び傾斜部（１００＿４）によって支持フレーム１００の断面は閉じた多角形形状を有する。
【００５０】
底部（１００＿１）、第１側壁部（１００＿２）、第２側壁部（１００＿３）、天井部（１００＿５）及び傾斜部（１００＿４）で区切られる内部空間である中空が定義される。すなわち、中空は底部（１００＿１）と天井部（１００＿５）との間空間または第１側壁部（１００＿２）と第２側壁部（１００＿３）との間空間である。
【００５１】
中空は支持フレーム１００の長さ方向に沿って延在する。すなわち、例示的な実施形態で支持フレーム１００は長さ方向に延在して形成されるが、中空は支持フレーム１００に沿って延在する。
【００５２】
支持フレーム１００が中空を有する場合、支持フレーム１００の全体的な重量が減少され得る。これによって、全体のバックライトユニットの重量を減少させることができる。
【００５３】
反射シート４００は光源部６００の下部に配置される。反射シート４００は光源部６００から照射される光のうちバックライトユニットの下部に向かう光を再び上部にガイドする役割を果たす。すなわち、光源部６００から下部に向かって照射される光をまた表示パネル１５０に向かうように誘導して光損失を減らすことができる。
【００５４】
例示的な実施形態で反射シート４００はポリエチレンテレフタレート（Ｐｏｌｙｅｔｈｙｌｅｎｅ  ｔｅｒｅｐｈｔｈａｌａｔｅ、ＰＥＴ）からなるが、反射シート４００の材質はこれに制限されない。他の例示的な実施形態で反射シート４００はＭＣＰＥＴ（ｍｉｃｒｏ−ｆｏａｍｉｎｇ  ＰＥＴ）（登録商標）すなわち、超微細発泡光反射板で形成され得る。
【００５５】
光源部６００の下部に配置される反射シート４００は支持フレーム１００に向かって屈曲延在する。すなわち、反射シート４００は屈曲部を含み、屈曲部から一定角度上向き傾斜して延在する。説明の便宜上、反射シート４００のうち上向き傾斜して延在する部分を傾斜領域（４００＿２）とする。
【００５６】
例示的な実施形態で傾斜領域（４００＿２）は、支持フレーム１００の傾斜部（１００＿４）により支持される。また、この場合、支持フレーム１００傾斜部（１００＿４）の勾配は傾斜領域（４００＿２）の勾配と実質的に同じであり得る。
【００５７】
傾斜領域（４００＿２）の端部は、モールドフレーム２００に隣接するように配置され得る。すなわち、支持フレーム１００の傾斜部（１００＿４）により支持される傾斜領域（４００＿２）の端部はモールドフレーム２００の側壁部（２００＿１）に接する。
【００５８】
以下では本発明のさらに詳細な実施形態について説明する。以下の実施形態で前述した構成と同じ構成に対しては同一参照番号を使用し、重複する説明は省略または簡略にする。
【００５９】
図２は、本発明の他の実施形態によるバックライトユニットの部分分解斜視図である。図３は、図２のＩ−Ｉ’線に沿って切断した断面図である。
【００６０】
図２及び図３を参照すると、本発明の他の実施形態によるバックライトユニットは対向する支持フレームを横切る少なくとも一つのサポートバーを含む点が図１の実施形態と違う点である。
【００６１】
サポートバー３００は、サポートバー３００上に配置される反射シート４００などを支持する役割を果たす。すなわち、前述した本発明の一実施形態によるバックライトユニットはボトムシャーシが省略されることによって、その重量を減らすことを特徴とする。言い換えれば、反射シート４００は支持フレーム１００の傾斜部（１００＿４）により支持されたり、その素材自体の応力によってその形状を維持することができる。
【００６２】
これに対し、本発明の他の実施形態のように対向する支持フレーム１００の間にサポートバー３００が配置される場合、反射シート４００をさらに安定的に支持できる。
【００６３】
サポートバー３００は対向する支持フレーム１００の間を横切って配置される。すなわち、支持フレーム１００が四角の枠形状を有する例示的な実施形態で、支持フレーム１００の互いに対向する２辺を横切るように配置される。すなわち、支持フレーム１００が互いに対向する第１辺１００ａ及び第２辺１００ｂと第３辺１００ｃ及び第４辺１００ｄを含む例示的な実施形態で、サポートバー３００は第１辺１００ａ及び第２辺１００ｂと並んでおり、第３辺１００ｃ及び第４辺１００ｄと垂直であり得る。すなわち、サポートバー３００の一端は、第３辺１００ｃに接続され、他端は第４辺１００ｄに接続される。複数個のサポートバー３００は一定間隔離隔し、互いに平行するように配置される。図２は、八個のサポートバー３００が配置される場合を例示するが、これは例示的なものであり、サポートバー３００の個数はこれに制限されない。
【００６４】
サポートバー３００は剛性（ｒｉｇｉｄ）材質で形成される。すなわち、サポートバー３００は金属物質を含んで形成されるが、これに制限されず、プラスチック材質でも形成され得る。
【００６５】
サポートバー３００上には少なくとも一つの支持柱３１０が形成される。
【００６６】
支持柱３１０は後述する拡散板１３０などを支持する役割を果たす。支持柱３１０はサポートバー３００から垂直に向かって突出して形成される。
【００６７】
例示的な実施形態で一つのサポートバー３００上に配置される支持柱３１０はサポートバー３００の長さ方向に沿って整列して配置される。図２では一つのサポートバー３００に三つの支持柱３１０が形成された場合を例示するが、支持柱３１０の個数はこれに制限されない。
【００６８】
図面に示していないが、支持柱３１０が配置される例示的な実施形態で反射シート４００は支持柱に対応する挿入口を含み得る。すなわち、反射シート４００の挿入口に支持柱３１０が挿入され、これによって、反射シート４００がサポートバー３００に接して支持される。
【００６９】
すなわち、支持柱３１０は反射シート４００を貫いて拡散板１３０を支持する。
【００７０】
図４は、本発明の他の実施形態によるバックライトユニットの部分斜視図である。図５は、図４に示すバックライトユニットの部分拡大図である。図６は、図５に示す分解斜視図である。
【００７１】
図４及び図６を参照すると、本発明の他の実施形態によるバックライトユニットは支持フレームが互いに分離された四つのサブ支持フレームを含む点が図１の実施形態と違う点である。
【００７２】
例示的な実施形態で支持フレーム１０１は互いに分離された四つのサブ支持フレームを含み得る。すなわち、バー（ｂａｒ）形状を有する四つのサブ支持フレームが結合され、四角の枠形状を有する支持フレーム１０１を成す。
【００７３】
説明の便宜上、四つのサブ支持フレームを第１サブ支持フレーム１０１ａ、第２サブ支持フレーム１０１ｂ、第３サブ支持フレーム１０１ｃ及び第４サブ支持フレーム１０１ｄとする。
【００７４】
また、各サブ支持フレームは前の本発明による一実施形態で説明したフレーム１００と実質的に同じ構造を有する。すなわち、各サブ支持フレームは、底部、第１側壁部、第２側壁部、天井部及び傾斜部を有する。これに関する説明は図１を参照して詳細に説明したので、詳細な説明は省略する。
【００７５】
例示的な実施形態で、第１サブ支持フレーム１０１ａは第２サブ支持フレーム１０１ｂと対向し、第３サブ支持フレーム１０１ｃは第４サブ支持フレーム１０１ｄと対向する。
【００７６】
すなわち、第１サブ支持フレーム１０１ａと第２サブ支持フレーム１０１ｂは互いに平行で、第３サブ支持フレーム１０１ｃと第４サブ支持フレーム１０１ｄは互い平行であるが、第１サブ支持フレーム１０１ａと第３サブ支持フレーム１０１ｃは互いに垂直する。
【００７７】
また、第１サブ支持フレーム１０１ａの一端は第３サブ支持フレーム１０１ｃと接続され、他端は第４サブ支持フレーム１０１ｄと接続される。同様に、第２サブ支持フレーム１０１ｂの一端第３サブ支持フレーム１０１ｃと接続され、他端は第４サブ支持フレーム１０１ｄと接続される。
【００７８】
各サブ支持フレームが接続される方式を説明するために図５及び図６を参照する。
【００７９】
例示的な実施形態で隣接するサブ支持フレームは「Ｌ」字形状を有する接続部材によって接続される。説明の便宜上、これをＬ型接続部材１５１と指称する。これについて詳細に説明すると、第１サブ支持フレーム１０１ａの端部と第３サブ支持フレーム１０１ｃの端部が接する状態でＬ型接続部材１５１を第１サブ支持フレーム１０１ａの内側面と第３サブ支持フレーム１０１ｃの内側面に接するようにすることができる。すなわち、屈曲線１５１ｃを基準に区分される両側のうち一側１５１ａを第１サブ支持フレーム１０１ａの内側面に、他側１５１ｂを第３サブ支持フレーム１０１ｃの内側面に接続し、第１サブ支持フレーム１０１ａと第３サブ支持フレーム１０１ｃを固定することができる。
【００８０】
例示的に、Ｌ型接続部材１５１と各サブ支持フレームの接続はねじ嵌合方式（ｓｃｒｅｗ  ｆｉｔｔｉｎｇ  ｍｅｔｈｏｄ）による。図５及び図６は、二つのねじ１５２を利用してＬ型接続部材１５１と各サブ支持フレームを接続する場合を例示する。ただし、ねじ１５２の個数はこれに制限されない。
【００８１】
また、ねじ１５２を利用してＬ型接続部材１５１と各サブ支持フレームを接続する場合、各サブ支持フレームの側面にはねじ１５２に対応する係合孔１５３が形成される。
【００８２】
図５及び図６では第１サブ支持フレーム１０１ａと第３サブ支持フレーム１０１ｃが接続される場合を例示して説明したが、他のサブ支持フレームもこれと実質的に同じ方法により接続され得ることはもちろんである。
【００８３】
図７は、本発明の他の実施形態による部分斜視図である。図８は、図７に示すバックライトユニットの断面図である。
【００８４】
図７及び図８を参照すると、本発明の他の実施形態によるバックライトユニットは、モールドフレームと支持フレームが定着部の下面に配置される接続突起とモールドフレームの側壁部及び支持フレームの第１側壁部を貫く結合ねじによって接続される点が図１の実施形態と違う点である。
【００８５】
前述したようにモールドフレーム２０１の側壁部（２０１＿１）は、支持フレーム１０２の第１側壁部（１０２＿２）に接続され、モールドフレーム２０１の定着部（２０１＿２）は支持フレーム１０２の天井部（１０２＿５）に接続される。
【００８６】
例示的な実施形態でモールドフレーム２０１の側壁部（２０１＿１）と支持フレーム１０２の第１側壁部（１０２＿２）の接続は、モールドフレーム２０１の側壁部（２０１＿１）及び支持フレーム１０２の第１側壁部（１０２＿２）を貫く結合ねじ１６１による。結合ねじ１６１はモールドフレーム２０１の側壁部（２０１＿１）外側から支持フレーム１０２の第１側壁部（１０２＿２）内側に向かって挿入される。すなわち、結合ねじ１６１の頭部はモールドフレーム２０１の側壁部（２０１＿１）外側に配置され、ボディー部は支持フレーム１０２の第１側壁部（１０２＿２）の内側まで挿入される。
【００８７】
これのため、モールドフレーム２０１の側壁部（２０１＿１）及び支持フレーム１０２の第１側壁部（１０２＿２）には結合ねじ１６１に対応する結合孔（２０１＿４、１０２＿２ａ）が形成される。モールドフレーム２０１の側壁部（２０１＿１）に形成される結合孔（２０１＿４）は支持フレーム１０２の第１側壁部（１０２＿２）に形成される結合孔（１０２＿２ａ）と重なる。これによって、一つの結合ねじ１６１によりモールドフレーム２０１の側壁部（２０１＿１）と支持フレーム１０２の第１側壁部（１０２＿２）が結合され得る。
【００８８】
モールドフレーム２０１の定着部（２０１＿２）上には接続突起１６２が形成される。すなわち、接続突起１６２は定着部（２０１＿２）の下面から一定間隔突出して形成される。接続突起１６２に対応するように支持フレーム１０２の天井部（１０２＿５）には接続孔（１０２＿５ａ）が形成される。接続孔（１０２＿５ａ）のサイズは接続突起１６２と実質的に同じであるかこれより小さい場合もある。すなわち、例示的に接続突起１６２と接続孔（１０２＿５ａ）が嵌め（ｔｉｇｈｔ  ｆｉｔ）方式で接続されることによってモールドフレーム２０１の定着部（２０１＿２）と支持フレーム１０２の天井部（１０２＿５）が接続される。
【００８９】
図９は、本発明の他の実施形態によるバックライトユニットの部分断面図である。
【００９０】
図９を参照すると、本発明の他の実施形態によるバックライトユニットはモールドフレームと支持フレームが一体に形成される点が図１の実施形態と違う点である。
例示的な実施形態で支持フレーム１０３はモールドフレームと一体に形成される。すなわち、変形された形態の支持フレーム１０３がモールドフレームの役割を果たすことがきる。
【００９１】
これのため、モールドフレームの側壁部（１０３＿６）は支持フレームの第１側壁部（１０３＿２）の上端から垂直方向に延在して形成される。モールドフレームの側壁部（１０３＿６）の上端にはサポート部（１０３＿６ａ）が配置され、これは前述した本発明のいくつかの実施形態によるバックライトユニットのモールドフレームのサポート部と実質的に同じである。
【００９２】
図１０は、本発明の他の実施形態によるバックライトユニットの部分断面図である。
【００９３】
図１０を参照すると、本発明の他の実施形態によるバックライトユニットのモールドフレームの側壁部は反射シート４０１の端部を接続する固定孔（１０３＿６ｂ）をさらに含む点が図９の実施形態と違う点である。
【００９４】
前述したように反射シート４０１は屈曲延在し、支持フレーム１０３の傾斜部（１０３＿４）に支持され、反射シート４０１の端部はモールドフレームまたはモールドフレームの側壁部（１０３＿６）と隣接するように配置される。
【００９５】
例示的な実施形態で反射シート４０１の端部はモールドフレームの側壁部（１０３＿６）に形成された固定孔（１０３＿６ｂ）に挿入されて固定される。これによって、反射シート４０１がさらに堅固に固定され得る。
【００９６】
図１１は、本発明の他の実施形態によるバックライトユニットの部分断面図である。
【００９７】
図１１を参照すると、本発明の他の実施形態によるバックライトユニットは、支持フレーム１０４の傾斜部が少なくとも一つ以上の開口を有する点が図１の実施形態と違う点である。
【００９８】
例示的な実施形態で支持フレーム１０４の傾斜部は少なくとも一つの開口（１０４＿４ａ）を含み得る。図１１は、開口（１０４＿４ａ）が四角形形状である場合を例示するが、開口（１０４＿４ａ）の形状はこれに制限されず、開口（１０４＿４ａ）は円形状を有するか、少なくとも部分的に曲線を含む形状を有することができる。
【００９９】
例示的な実施形態で開口（１０４＿４ａ）は一定間隔離れて複数個が配置される。傾斜部が開口（１０４＿４ａ）を含む場合、支持フレーム１０４の重量が相対的に減少する。これによってバックライトユニットの重量を減少させることができる。
【０１００】
図１２は、本発明の他の実施形態によるバックライトユニットの部分断面図である。図１３は、図１２に示すバックライトユニットの部分斜視図である。図１４は、図１２に示すバックライトユニットの部分斜視図である。
【０１０１】
図１２〜図１４を参照すると、本発明の他の実施形態によるバックライトユニットは光源部が第１印刷回路基板及び第１印刷回路基板上に実装される発光ランプを含む点において図１の実施形態と違う点である。
【０１０２】
例示的な実施形態で光源部６００は長さ方向に延在するバー（ｂａｒ）形状の第１印刷回路基板６００＿１、第１印刷回路基板６００＿１上に実装される複数個の発光ランプ６００＿２を含み得る。
【０１０３】
第１印刷回路基板６００＿１は複数個配置される。複数個の第１印刷回路基板６００＿１は一定間隔離れて互いに並んで配置される。
【０１０４】
第１印刷回路基板６００＿１は第１印刷回路基板６００＿１上に実装される発光ランプ６００＿２を制御するための信号を伝達したり、発光ランプ６００＿２に電源を供給する。第１印刷基板６００＿１は後述する第２印刷回路基板（５００＿１）と電気的に接続され、第２印刷回路基板（５００＿１）が出力する制御信号を受けて発光ランプ６００＿２を制御する。
【０１０５】
例示的に第１印刷回路基板６００＿１は支持フレーム１０５の第３辺及び第４辺と平行であり、第１辺及び第２辺と垂直するように配置される。バックライトユニットがサポートバーをさらに含む例示的な実施形態で、サポートバーと第１印刷回路基板６００＿１は互いに垂直に交差する。
【０１０６】
本発明のいくつかの実施形態によるバックライトユニットは、第２印刷回路基板（５００＿１）及び第２印刷回路基板（５００＿１）と第１印刷回路基板６００＿１を電気的に接続する接続ソケット（５００＿２）をさらに含み得る。これについて詳しい説明のため図１５から図１７を参照する。
【０１０７】
図１５は、本発明の他の実施形態によるバックライトユニットの部分斜視図である。図１６は、図１５に示す実施形態によるバックライトユニットの分解斜視図である。図１７は、図１５に示す実施形態によるバックライトユニットの斜視図である。
【０１０８】
第２印刷回路基板（５００＿１）は複数個の第１印刷回路基板６００＿１と接続され、複数個の第１印刷回路基板６００＿１を制御する。すなわち、第２印刷回路基板（５００＿１）は制御信号をそれぞれの第１印刷回路基板６００＿１に伝達したり、発光ランプ６００＿２の駆動に必要な電源を供給する。第２印刷回路基板（５００＿１）は支持フレーム１０５の内部空間、すなわち、中空に配置される。例示的な実施形態で第２印刷回路基板（５００＿１）は底部（１０５＿１）の上面に配置され、支持フレーム１０５の長さ方向に沿って延在して形成される。すなわち、第２印刷回路基板（５００＿１）は支持フレーム１０５の第１辺ないし第４辺のうち選択された何れか一つ以上に配置される。
【０１０９】
接続ソケット（５００＿２）は第１印刷回路基板６００＿１と第２印刷回路基板（５００＿１）を電気的に接続する。例示的な実施形態で、複数個の接続ソケット（５００＿２）が第２印刷回路基板（５００＿１）の延在した長さ方向に沿って整列して配置される。それぞれの接続ソケット（５００＿２）は第１印刷回路基板６００＿１と接続され、電気的に接続する。すなわち、第１印刷回路基板６００＿１の接続端子が接続ソケット（５００＿２）に挿入され接続され、これによって第１印刷回路基板６００＿１と第２印刷回路基板（５００＿１）が電気的に接続され得る。
【０１１０】
接続ソケット（５００＿２）と第２印刷回路基板（５００＿１）は支持フレーム１０５内に挿入されて中空に配置される。これのため、支持フレーム１０５の第２側壁部（１０５＿３）には接続ソケット（５００＿２）と第２印刷回路基板（５００＿１）が挿入される挿入溝（１０５＿３ａ）が形成される。挿入溝（１０５＿３ａ）は支持フレーム１０５の長さ方向に沿って延在して形成され、例示的な実施形態で接続ソケット（５００＿２）に対応する挿入溝（１０５＿３ａ）の高さは第２印刷回路基板（５００＿１）に対応する挿入溝（１０５＿３ａ）の高さより大きい場合もある。
【０１１１】
接続ソケット（５００＿２）はその一部が中空の内部に配置され、残りの一部は第２側壁部（１０５＿３）から一定間隔突出して配置される。
【０１１２】
図１８は、本発明の一実施形態による液晶表示装置の分解斜視図である。
【０１１３】
図１８を参照すると、本発明の一実施形態による液晶表示装置１０００は、バックライトユニット１５００、バックライトユニット１５００の上部に配置される拡散板１３０、拡散板130上に配置される少なくとも一つの光学シート１４０及び光学シート1４０上に配置される表示パネル２５０を含むが、バックライトユニット１５００は表示パネルに光を供給する光源部、光源部の下部に配置される反射シート、光源部を収納するモールドフレーム、モールドフレームを支持する支持フレームを含むが、支持フレームは、底部、底部の両側から上部に向かって延在して形成され、互いに対向する第１側壁部及び第２側壁部、第１側壁部の上端から水平方向に延在する天井部、天井部の端部から下向傾斜し、一端が天井部の端部と接し、他端が第２側壁部の上端と接する傾斜部を含む。
【０１１４】
バックライトユニット１５００は本発明のいくつかの実施形態によるバックライトユニット１５００と実質的に同じであるため、これに関する詳細な説明は省略する。
【０１１５】
バックライトユニット１５００上には拡散板１３０が配置される。拡散板１３０はバックライトユニット１５００から照射される光の一部を拡散させて拡散板１３０の上部に配置される表示パネル２５０に伝達し、他の一部を拡散板１３０の下部に反射させる。例示的な実施形態で拡散板１３０は、ＰＭＭＡ（Ｐｏｌｙｍｅｔｈｙｌ  ｍｅｔｈａｃｒｙｌａｔｅ）、ＰＳ（Ｐｏｌｙｓｔｙｒｅｎｅ）、ＰＣ（Ｐｏｌｙｃａｒｂｏｎａｔｅ）、ＣＯＣ（ｃｙｃｌｏ−ｏｌｅｆｉｎ  ｃｏｐｏｌｙｍｅｒｓ）、ＰＥＴ（Ｐｏｌｙｅｔｈｙｌｅｎｅ  ｔｅｒｅｐｈｔｈａｌａｔｅ）、ＰＢＴ（Ｐｏｌｙｂｕｔｙｌｅｎｅｔｅｒｅｐｈｔａｌａｔｅ）、Ｐｌａｓｔｉｃ材アロイ（ａｌｌｏｙ）から選択される一つの物質で形成されるが、拡散板１３０の材質はこれに制限されない。また、拡散板１３０は単一層で形成されるが、これに制限されず、複数の層が積層された積層構造を有することもできる。
【０１１６】
拡散板１３０の上部には拡散板１３０を透過した光の光学的特性を変調する少なくとも一つの光学シート１４０が配置される。
【０１１７】
光学シート１４０は少なくとも一つのシートを含み得る。例示的な実施形態で光学シート１４０は拡散シート（１４０＿１）、輝度向上シート（１４０＿２）及び反射偏光シート（１４０＿３）を含み得る。このような複数の光学シート１４０は拡散板１３０の上部に配置され、拡散板１３０から出射される光の効率を増加させて光の輝度分布を均一にすることができる。
【０１１８】
拡散シート（１４０＿１）は下部拡散板１３０から入射された光を表示パネル２５０の正面へ向かうようにし、広い範囲で均一な分布を有するように光を拡散させて表示パネル２５０に照射するようにする。このような拡散シート（１４０＿１）としては、両面に所定の光拡散用部材がコーティングされた透明樹脂で構成されたフィルムを使用することができる。
【０１１９】
輝度向上シート（１４０＿２）は輝度向上シート（１４０＿２）に入射する光のうち傾斜して入射する光を垂直に出射するように変化させる役割を果たす。これは表示パネル２５０に入射する光が表示パネル２５０と垂直を成すとき、光効率が大きくなるからである。
【０１２０】
反射偏光シート（１４０＿３）は、反射偏光シート（１４０＿３）の透過軸と並んでいる光は透過させて透過軸に垂直な光は反射させる。このような反射偏光シート（１４０＿３）の透過軸は透過効率を上げるため、輝度向上シート（１４０＿２）の偏光軸方向と同じであり得るが、これに制限されない。
【０１２１】
光学シート１４０上には表示パネル２５０が配置される。また、表示パネル２５０上にはトップシャーシ７５０が配置される。
【０１２２】
表示パネル２５０は表示領域及び非表示領域を含む。また、表示パネル２５０は第１基板２５１、第１基板２５１に対向する第２基板２５２、液晶層、及び第１基板２５１に接続された駆動部２５４とフレキシブル回路基板２５７を含み得る。
【０１２３】
表示パネル２５０の表示領域は、画像が表示される領域を意味し、表示パネル２５０の非表示領域は画像が表示されない領域を意味する。表示領域は第１基板２５１と第２基板２５２が重畳する領域の中央の部分に位置し、非表示領域は第１基板２５１と第２基板２５２が重畳する領域の縁部分に位置する。また、表示領域は表示パネル２５０とトップシャーシ７５０が重畳しない領域であり得、非表示領域は表示パネル２５０とトップシャーシ７５０が重畳する領域であり得る。表示領域の形状は第２基板２５２の形状と類似するが、内部面積は小さい場合もある。また、表示領域と非表示領域の境界線は各々に対向する第２基板２５２の辺と平行する。また、表示領域と非表示領域の境界線が成す形状は四角形状であり得る。
【０１２４】
第１基板２５１の少なくとも一部は第２基板２５２と重畳する。第１基板２５１と第２基板２５２が重畳する領域の中央の部分が表示領域であり得、第１基板２５１と第２基板２５２が重畳する領域の縁部分が非表示領域であり得る。第１基板２５１と第２基板２５２が重畳しない領域には駆動部２５４とフレキシブル回路基板２５７が接続されている。
【０１２５】
第２基板２５２は第１基板２５１に対向して配置される。第１基板２５１と第２基板２５２の間には液晶層が介在する。第１基板２５１と第２基板２５２との間にはシーラントなどのようなシーリング部材が第１基板２５１及び第２基板２５２の縁部分に沿って配置され、第１基板２５１と第２基板２５２を相互に合着して密封することができる。
【０１２６】
第１基板２５１及び第２基板２５２は直方体形状であり得る。説明の便宜上、第１基板２５１及び第２基板２５２の形状を直方体に示しているが、これに限定されず、表示パネル２５０の形状に応じて第１基板２５１及び第２基板２５２は多様な形状で製造され得る。
【０１２７】
駆動部２５４は、表示領域で画像を表示するために必要な駆動信号などの多様な信号を伝達する。フレキシブル回路基板２５７は駆動部２５４に各種信号を出力する。
【０１２８】
トップシャーシ７５０は表示パネル２５０の縁を覆い、表示パネル２５０及びバックライトユニット１５００の側面を囲む。
【０１２９】
以上、添付する図面を参照して本発明の実施形態について説明したが、本発明が属する技術分野で通常の知識を有する者は、本発明のその技術的思想や必須の特徴を変更しない範囲で他の具体的な形態で実施され得ることを理解することができる。したがって、上記実施形態はすべての面で例示的なものであり、限定的なものではないと理解しなければならない。
【符号の説明】
【０１３０】
１４０    光学シート
１５０、２５０    表示パネル
１３０    拡散板
２００、２０１    モールドフレーム
１００、１０１、１０２、１０３、１０４、１０５    支持フレーム
６００    光源部
４００、４０１、４０２    反射シート
６００    チャック
３００    サポートバー
３１０    支持柱
【図１】
2015146309.tif 000003
【図２】
2015146309.tif 000004
【図３】
2015146309.tif 000005
【図４】
2015146309.tif 000006
【図５】
2015146309.tif 000007
【図６】
2015146309.tif 000008
【図７】
2015146309.tif 000009
【図８】
2015146309.tif 000010
【図９】
2015146309.tif 000011
【図１０】
2015146309.tif 000012
【図１１】
2015146309.tif 000013
【図１２】
2015146309.tif 000014
【図１３】
2015146309.tif 000015
【図１４】
2015146309.tif 000016
【図１５】
2015146309.tif 000017
【図１６】
2015146309.tif 000018
【図１７】
2015146309.tif 000019
【図１８】
2015146309.tif 000020